(57)【要約】【課題】衛生マスク本体と左右の耳掛け部とが同時に構成されるようにし、煩わしい作業工程を廃止して生産性を図ることができる衛生マスクを提供する。【解決手段】伸縮性のある編糸により編成した筒状編地は、編成方向の長さが伸長時に左右両耳の近傍まで口を覆う左右方向長さに設定され、かつこれと直交する周方向略半分の長さが伸長時に目の下から顎まで及ぶ上下方向長さに設定されるように表裏両面を折り返した状態で使用される衛生マスク本体１０を備える。衛生マスク本体１０の裏面側に、その左右両端部においてそれぞれの端縁に沿って上下方向に切り欠いた状態に開口する左右の開口部１３を設ける。各開口部１３よりもそれぞれ外側に位置する左右の開口周縁部を、衛生マスク本体１０に一体的に設けられた左右の耳掛け部１４として構成する。【選択図】図１
2020125578.tif 000002
【特許請求の範囲】
【請求項１】
筒状の筒状編地により構成される衛生マスクであって、
前記筒状編地は、伸縮性を有する編糸により編成され、その編成方向の長さが伸長時に左右両耳の近傍まで口を覆う左右方向長さに設定され、かつこれと直交する周方向略半分の長さが伸長時に目の下から顎まで及ぶ上下方向長さに設定されるように表裏両面を折り返した状態で使用される衛生マスク本体を備えているとともに、
前記衛生マスク本体の表裏両面のうち裏面側には、その左右両端部においてそれぞれの端縁に沿って上下方向に切り欠かれた状態に開口する左右の開口部が設けられており、
前記左右の開口部よりもそれぞれ外側に位置する左右の開口周縁部は、前記衛生マスク本体に一体的に設けられた左右の耳掛け部として構成されていることを特徴とする衛生マスク。
【請求項２】
前記衛生マスク本体は、当該衛生マスク本体の左右両端部に開口部がそれぞれ編成時に形成されるように筒状に編成された筒状編地により構成されており、
前記衛生マスク本体の左右両端部にそれぞれ対応する前記編地の開口部周縁近傍は、
タックとニットとを交互に配設した編成コースとこの編成コースのタックをニットしニットをミスした編成コースとこの編成コースのタック及びニットをミスした２つの編成コースを複数回設けて編針から払い落とした状態で形成された、前記衛生マスク本体の両開口部よりも外側に位置する外側の開口周縁部と、
前記外側の開口周縁部に対面する前記衛生マスク本体の両開口部よりも内側に位置する内側の開口周縁部を形成し、その内側の開口周縁部から内側に続く編成コースにタックとニットとを交互に配設した編成コースとこの編成コースの内側にタックをニットしニットをミスした編成コースとこの編成コースのさらに内側に当該編成コースのタック及びニットをミスした２つの編成コースを前記衛生マスク本体の内側に複数回設けた編成部分を有するとともに、開口するために払い落とす編成コースを挟む前後にタックによる補強部を、前記内外両側の両開口周縁部の連結部分に設けてなるウエールに直交する左右の開口部を形成している請求項１に記載の衛生マスク。
【請求項３】
前記衛生マスク本体は、その表裏両面の折り返し部分において前記左右の開口周縁部の近傍同士の間を左右方向へ延びるひだによって表裏両面の折り返し線が形成されている請求項１又は請求項２に記載の衛生マスク。
【発明の詳細な説明】
【技術分野】
【０００１】
本発明は、衛生マスク本体とこの衛生マスク本体の左右両端に設けられる耳掛け部とからなる衛生マスクに関する。
【背景技術】
【０００２】
この種の衛生マスクとしては、布地により構成された衛生マスク本体と、この衛生マスク本体の左右両端の上下両位置にそれぞれ両端が縫い付けられた紐状の耳掛け部とからなるものが従来より知られている（特許文献１参照）。
【先行技術文献】
【特許文献】
【０００３】
【特許文献１】特開２００４−３５１１９０号公報
【発明の概要】
【発明が解決しようとする課題】
【０００４】
ところが、前記従来のものでは、衛生マスク本体と左右の耳掛け部とがそれぞれ別個に構成されているため、衛生マスク本体に左右の耳掛け部の両端を縫い付ける作業が必要となり、その作業工程が煩わしく、生産性を図る上で非常に不利なものとなる。
【０００５】
本発明は、かかる点に鑑みてなされたもので、その目的とするところは、衛生マスク本体と左右の耳掛け部とが同時に構成されるようにし、煩わしい作業工程を廃止して生産性を図ることができる衛生マスクを提供することにある。
【課題を解決するための手段】
【０００６】
上記目的を達成するため、本発明では、筒状の筒状編地により構成される衛生マスクを前提とし、前記筒状編地は、伸縮性を有する編糸により編成され、その編成方向の長さが伸長時に左右両耳の近傍まで口を覆う左右方向長さに設定され、かつこれと直交する周方向略半分の長さが伸長時に目の下から顎まで及ぶ上下方向長さに設定されるように表裏両面を折り返した状態で使用される衛生マスク本体を備えている。更に、前記衛生マスク本体の表裏両面のうち裏面側に、その左右両端部においてそれぞれの端縁に沿って上下方向に切り欠かれた状態に開口する左右の開口部を設けている。そして、前記左右の開口部よりもそれぞれ外側に位置する左右の開口周縁部を、前記衛生マスク本体に一体的に設けられた左右の耳掛け部として構成することを特徴としている。
【０００７】
また、前記衛生マスク本体を、当該衛生マスク本体の左右両端部に開口部がそれぞれ編成時に形成されるように筒状に編成された筒状編地により形成する。そして、前記衛生マスク本体の左右両端部にそれぞれ対応する前記編地の開口部周縁近傍を、タックとニットとを交互に配設した編成コースとこの編成コースのタックをニットしニットをミスした編成コースとこの編成コースのタック及びニットをミスした２つの編成コースを複数回設けて編針から払い落とした状態で形成された、前記衛生マスク本体の両開口部よりも外側に位置する外側の開口周縁部と、前記外側の開口周縁部に対面する前記衛生マスク本体の両開口部よりも内側に位置する内側の開口周縁部を形成し、その内側の開口周縁部から内側に続く編成コースにタックとニットとを交互に配設した編成コースとこの編成コースの内側にタックをニットしニットをミスした編成コースとこの編成コースのさらに内側に当該編成コースのタック及びニットをミスした２つの編成コースを前記衛生マスク本体の内側に複数回設けた編成部分を有するとともに、開口するために払い落とす編成コースを挟む前後にタックによる補強部を、前記内外両側の両開口周縁部の連結部分に設けてなるウエールに直交する左右の開口部を形成していてもよい。
【０００８】
更に、前記衛生マスク本体は、その表裏両面の折り返し部分において前記左右の開口周縁部の近傍同士の間を左右方向へ延びるひだによって表裏両面の折り返し線を形成していてもよい。
【発明の効果】
【０００９】
以上、要するに、伸縮性を有する編糸により編成された筒状編地に表裏両面を折り返した状態で使用される衛生マスク本体を設け、その表裏両面のうち裏面側の左右両端部に、それぞれの端縁に沿って上下方向に切り欠いた状態に開口する左右の開口部を設け、この左右の開口部よりもそれぞれ外側に位置する左右の開口周縁部を、衛生マスク本体に一体的に設けられた左右の耳掛け部として構成している。これにより、衛生マスク本体と左右の耳掛け部とがそれぞれ一体的に構成され、衛生マスク本体に左右の耳掛け部の両端を縫い付ける作業が不要となって、煩わしい作業工程を廃止して衛生マスクの生産性を図ることができる。
【００１０】
また、衛生マスク本体を、当該衛生マスク本体の左右両端部に開口部をそれぞれ編成時に形成する筒状編地により構成する。その上、編地の開口部周縁近傍で編針から払い落とした編目は、タックとニットとを交互に配設した編成コースとこの編成コースのタックをニットしニットをミスした編成コースとこの編成コースのタック及びニットをミスした２つの編成コースを複数回設けた部分によって解れが防止される。しかも、左右の開口部の内外両側の両開口周縁部の連結部分は、開口するために払い落とす編成コースを挟む前後部分にタックによる補強部を設けて当該部分を補強している。これにより、簡単な構造で、左右の開口部の上下両端部の強度を十分に確保しつつ、編針から払い落とした開口部周縁の解れを防止でき、信頼性の高い衛生マスクを迅速に提供することができる。
【００１１】
更に、衛生マスク本体の表裏両面の折り返し部分の折り返し線を、左右の開口周縁部の近傍同士の間を左右方向へ延びるひだによって形成することで、衛生マスク本体の表裏両面の形状を安定させて品質の高い衛生マスクを提供することができる。
【図面の簡単な説明】
【００１２】
【図１】本発明の実施の形態に係る衛生マスクに除菌シートを取り付けた状態を示す斜視図である。
【図２】図１の衛生マスクを正面から見た正面図である。
【図３】図１の衛生マスクを背面から見た背面図である。
【図４】図１の衛生マスクを上方から見た平面図である。
【図５】図１の衛生マスクを右側方から見た右側面図である。
【図６】図２のＡ−Ａ線における断面図である。
【図７】図１の衛生マスクの使用状態を示す斜視図である。
【図８】図１の衛生マスクの編み始めの上端角部付近での編成コース図である。
【図９】図８の編成コース図に繋がる衛生マスクの上端付近での編成コース図である。
【発明を実施するための形態】
【００１３】
以下、本発明の実施の形態を図面に基づいて説明する。
【００１４】
図１は本発明の実施の形態に係る衛生マスクに除菌シートを取り付けた状態を示す斜視図を示している。また、図２は図１の衛生マスクを正面から見た正面図、図３は図１の衛生マスクを背面から見た背面図をそれぞれ示している。更に、図４は図１の衛生マスクを上方から見た平面図、図５は図１の衛生マスクを右側方から見た右側面図、図６は図２のＡ−Ａ線における断面図、図７は図１の衛生マスクの使用状態を示す斜視図をそれぞれ示している。なお、図４の平面図は図１の衛生マスクを下方から見た底面図と対称に表れ、図５の右側面図は図１の衛生マスクを左側方から見た左側面図と対称に表れる。
【００１５】
図１〜図７に示すように、衛生マスク１は、筒状の筒状編地により構成される。この筒状編地は、丸編み機でシリンダの編針（図示せず）に周回状に給糸されて形成されている。この丸編み機としては、４口編み用のものが用いられている。
【００１６】
筒状編地は、伸縮性を有する編糸により編成された衛生マスク本体１０を備えている。この筒状編地は、衛生マスク本体１０として使用する際には、その表裏両面１１，１２を折り返した状態で用いられる。
【００１７】
衛生マスク本体１０（筒状編地）は、その編成方向の長さが筒状編地を折り返した状態では伸長時に左右両耳の近傍まで口を覆う左右方向長さ（例えば１４０〜１６０ｍｍ程度）に設定されている。一方、衛生マスク本体１０（筒状編地）は、その編成方向と直交する周方向略半分の長さが筒状編地を折り返した状態では伸長時に目の下から顎まで及ぶ上下方向長さ（例えば１２０〜１４０ｍｍ程度）に設定されている。
【００１８】
衛生マスク本体１０の表裏両面１１，１２のうち裏面１２側には、その左右両端部においてそれぞれの端縁に沿って上下方向に切り欠かれたような状態で開口する左右の開口部１３，１３が設けられている。この両開口部１３，１３は、衛生マスク本体１０の表面１１側にまで端部が若干量（例えば２〜５ｍｍ程度）だけ回り込んでいる。そして、両開口部１３，１３よりも左右両端側に位置する左右の開口周縁部は、衛生マスク本体１に一体的に設けられた左右の耳掛け部１４，１４として構成されている。
【００１９】
更に、衛生マスク本体１０は、その表裏両面１１，１２の折り返し部分となる上下両端において左右の耳掛け部１４，１４(開口周縁部)の近傍同士の間を、左右方向へ延びる３条のひだ１５，１５，１５が施されている。これらのひだ１５は、左右方向長さ（例えば３〜５ｍｍ程度）毎に周方向へ微量（例えば１〜２ｍｍ程度）だけ段差状に行き来することを繰り返すことで、衛生マスク本体１０の表裏両面１１，１２の上下両側の折り返し線１６，１６を上下にそれぞれ形成するようにしている。
【００２０】
また、衛生マスク本体１０の表裏両面１１，１２の間には、略矩形状の除菌シート２が挟まれている。
【００２１】
次に、衛生マスク１を４口編み用の丸編み機により編成する編成方法について説明する。
【００２２】
図８は図１の衛生マスク１の編み始めの上端角部付近での編成コース図、図９は図８の編成コース図に繋がる衛生マスク１の上端付近での編成コース図をそれぞれ示している。図８及び図９における下端のアルファベットは当該部分の編針を示すもので、図８及び図９において○印はニット（給糸するクリア）、◎印は補強糸を加えたニット、△印はタック、×印はミス、●印は給糸なしのクリア（払い落とし）、網掛け部分３は開口部１３であって、図中左方に付した番号は編成コースの番号である。
【００２３】
図８に示すように、衛生マスク１の編み始めの上端角部付近を編成する際に編み始めとなる編成コース１では、４口編み用の編針のうち、２口編み用の編針で編む際に休止している残る２口編み用の編針の一方の１口編み用の編針を示し、この一方の１口編み用の全ての編針ａ〜ｍ´に編糸をミスしている。このとき、休止中の残る２口編み用の編針の一方の１口編み用の全ての編針ａ〜ｍ´は、給糸された糸を咥えて沈んだままとなり、編成コース２に続く準備を整えている。
【００２４】
編成コース２では、４口編み用の編針のうちの使用する２口編み用の一方の１口編み用の編針による編みを行う。具体的には、編針ａ〜ｏにニットが形成され、編針ｐ・ｒ・ｔ・ｗに補強糸を加えたニットと編針ｑ・ｓ・ｕ・ｖ・ｘにタックとが形成され、それ以降は編針ｙ・ａ´・ｃ´・ｅ´・・・ｍ´に補強糸を加えたニットと編針ｚ・ｂ´・ｄ´・ｆ´・・・ｌ´にタックとが交互に形成される編成を行う。このとき、編出し側の解れ止めが行われる。
【００２５】
編成コース３では、４口編み用の編針のうちの使用する２口編み用の他方の１口編み用の編針による編みを行う。具体的には、編針ａ〜ｐにニットが形成され、編針ｑ・ｓ・ｖ・ｗに補強糸を加えたニットと編針ｒ・ｓ・ｕにミスと編針ｘにタックとが形成され、それ以降は編針ｙ・ａ´・ｃ´・ｅ´・・・ｍ´にミスと編針ｚ・ｂ´・ｄ´・ｆ´・・・ｌ´に補強糸を加えたニットとが交互に形成される編成を行う。
【００２６】
編成コース４及び５では、休止中の残る２口編み用の編針ａ〜ｍ´を示し、編成コース１と同様に休止中の残る２口編み用の全ての編針ａ〜ｍ´に編糸をミスしている。
【００２７】
編成コース６では、使用中の一方の１口編み用の編針による編みを行う。具体的には、編針ａ〜ｏにニットが形成され、編針ｐ・ｒ・ｔ・ｕに補強糸を加えたニットと編針ｑ・ｓ・ｖ・ｘにタックと編針ｗにミスが形成され、それ以降は編針ｙ・ａ´・ｃ´・ｅ´・・・ｍ´に補強糸を加えたニットと編針ｚ・ｂ´・ｄ´・ｆ´・・・ｌ´にタックとが交互に形成される編成を行う。
【００２８】
編成コース７では、使用中の他方の１口編み用の編針による編みを行う。具体的には、編針ａ〜ｐにニットが形成され、編針ｑ・ｓ・ｘに補強糸を加えたニットと編針ｒ・ｔ・ｕ・ｗにミスと編針ｖにタックが形成され、それ以降は編針ｙ・ａ´・ｃ´・ｅ´・・・ｍ´にミスと編針ｚ・ｂ´・ｄ´・ｆ´・・・ｌ´に補強糸を加えたニットとが交互に形成される編成を行う。
【００２９】
編成コース８及び９でも、編成コース４及び５と同様に休止中の残る２口編み用の全ての編針ａ〜ｍ´に編糸をミスする。
【００３０】
編成コース１０では、使用中の一方の１口編み用の編針による編みを行う。具体的には、編針ａ〜ｏにニットが形成され、編針ｐ・ｒ・ｕ・ｗに補強糸を加えたニットと編針ｑ・ｓ・ｔ・ｖ・ｘにタックとが形成され、それ以降は編針ｙ・ａ´・ｃ´・ｅ´・・・ｍ´にタックと編針ｚ・ｂ´・ｄ´・ｆ´・・・ｌ´に補強糸を加えたニットとが交互に形成される編成を行う。
【００３１】
編成コース１１では、使用中の他方の１口編み用の編針による編みを行う。具体的には、編針ａ〜ｐにニットが形成され、編針ｑ・ｓ・ｖに補強糸を加えたニットと編針ｒ・ｔ・ｕ・ｗにミスとが形成され、それ以降は編針ｙ・ａ´・ｃ´・ｅ´・・・ｍ´にミスと編針ｚ・ｂ´・ｄ´・ｆ´・・・ｌ´に補強糸を加えたニットとが交互に形成される編成を行う。
【００３２】
編成コース１２及び１３でも、編成コース８及び９と同様に休止中の残る２口編み用の全ての編針ａ〜ｍ´に編糸をミスする。
【００３３】
編成コース１４では、使用中の一方の１口編み用の編針による編みを行う。具体的には、編針ａ〜ｏにニットが形成され、編針ｐ・ｒ・ｔ・ｕ・ｗ・ｙに補強糸を加えたニットと編針ｑ・ｓ・ｖ・ｘにタックとが形成され、それ以降は編針ｚ・ｂ´・ｄ´・ｆ´・・・ｌ´に補強糸を加えたニットと編針ａ´・ｃ´・ｅ´・ｇ´・・・ｍ´にタックとが交互に形成される編成を行う。
【００３４】
編成コース１５では、使用中の他方の１口編み用の編針による編みを行う。具体的には、編針ａ〜ｐにニットが形成され、編針ｑ・ｓ・ｘ・ｙに補強糸を加えたニットと編針ｒ・ｔ・ｕ・ｗにミスと編針ｖにタックとが形成され、それ以降は編針ｚ・ｂ´・ｄ´・ｆ´・・・ｌ´に補強糸を加えたニットと編針ａ´・ｃ´・ｅ´・ｇ´・・・ｍ´にミスとが交互に形成される編成を行う。
【００３５】
編成コース１６及び１７でも、編成コース１２及び１３と同様に休止中の残る２口編み用の全ての編針ａ〜ｍ´に編糸をミスする。
【００３６】
編成コース１８では、使用中の一方の１口編み用の編針による編みを行う。具体的には、編針ａ〜ｏにニットが形成され、編針ｐ・ｒ・ｔ・ｕ・ｗに補強糸を加えたニットと編針ｑ・ｓ・ｖ・ｘにタックとが形成され、それ以降は編針ｙ・ａ´・ｃ´・ｅ´・・・ｍ´に補強糸を加えたニットと編針ｚ・ｂ´・ｄ´・ｆ´・・・ｌ´にタックとが交互に形成される編成を行う。
【００３７】
編成コース１９では、使用中の他方の１口編み用の編針による編みを行う。具体的には、編針ａ〜ｐにニットが形成され、編針ｑ・ｓに補強糸を加えたニットと編針ｒ・ｔ・ｕ・ｗにミスと編針ｖ・ｘにタックとが形成され、それ以降は編針ｙ・ｚ・ａ´・ｂ´・・・・・ｍ´に補強糸を加えたニットが繰り返し形成される編成を行う。
【００３８】
編成コース２０では、編成コース１６及び１７と同様に休止中の残る２口編み用の他方の１口編み用の全ての編針ａ〜ｍ´に編糸をミスする。
【００３９】
編成コース２１では、休止中の残る２口編み用の一方の１口編み用の全ての編針ａ・ｂ・ｃ・ｄ・・・ｘにミスが繰り返され、編針ｙ・ｚ・ａ´・ｂ´・・・・ｍ´に給糸なしのクリアが繰り返される編成を行う。このとき、編始め側となるマスク本体１０の左右一方の開口部１３の上端部側が構成されるとともに、編成コース１〜編成コース２０までの編成によってマスク本体１０の一方の耳掛け部１４の上端部側が構成される。
【００４０】
このとき、編成コース２１で開口幅分の一方の１口編み用の編針ｙ〜ｍ′に給糸がされずにノックオーバーされるとともに、その他の部分（編針ａ〜ｘ）は編糸がミスされる。この編成コース２１が終了すると、ノックオーバーされた部分、つまり網掛け部分３に開口部１３の編出し側周縁部分が形成される。
【００４１】
編成コース２２では、使用中の一方の１口編み用の編針による編みを行う。具体的には、編成コース１８と同じ編成を行い、編成コース２３では、編成コース１１と同じ編成を行う。また、編成コース２４及び２５でも、編成コース４及び５と同様に休止中の残る２口編み用の全ての編針ａ〜ｍ´に編糸をミスする。このとき、開口部１３の端部の連結部、特に編針ｘでは編成コース１８・１９・２２・２３でタックされて補強部４（図８参照）が形成されている。
【００４２】
編成コース２６では、編成コース１８と同じ編成を行い、編成コース２７では、編成コース７と同じ編成を行う。また、編成コース２８及び２９でも、編成コース２０と同様に休止中の残る２口編み用の全ての編針ａ〜ｍ´に編糸をミスする。
【００４３】
編成コース３０では、編成コース１０と同じ編成を行い、編成コース３１では、編成コース２３と同じ編成を行う。また、編成コース３２及び３３でも、編成コース２０と同様に休止中の残る２口編み用の全ての編針ａ〜ｍ´に編糸をミスする。
【００４４】
編成コース３４では編成コース２６と同じ編成を、編成コース３５では編成コース２７と同じ編成を、編成コース３６及び３７では編成コース４及び５と同様に全ての編針ａ〜ｍ´に編糸をミスする編成を、編成コース３８では編成コース２６と同じ編成を、編成コース３５では編成コース２７と同じ編成を、編成コース３６及び３７では編成コース４及び５と同様に休止中の残る２口編み用の全ての編針ａ〜ｍ´に編糸をミスする編成をそれぞれ繰り返し行う。
【００４５】
このとき、各編成コース１〜４０の編針ｍ´以降の編針においても、編針ｙ〜編針ｍ´までの編成をマスク本体１０の開口部１３の下端部側及び耳掛け部１４の下端部側を編成し終えるまで繰り返し、それ以降は、編針にニットを形成する編成を繰り返す。
【００４６】
次に、図９に示すように、図８の編成コース図に繋がる衛生マスク１の上端付近を編成する際の編成コース４１では、４口編み用の編針のうちの最初の１口編み用の編針による編みを行う。具体的には、図８の編成コース図に引き続き、４口編み用の編針のうちの最初の１口編み用の編針による編みを行う。具体的には、編成コース４１では、編針ａ〜ｎのうちの編針ａ〜ｅ・ｇ・ｉ・ｋ〜ｎによりニットが形成され、編針ｆ・ｈ・ｊにタックが形成される編成を行う。このとき、丸編み機は、休止中の２口用の編針を休止させることなく４口編み用の全ての編針を用いた編成を行う。
【００４７】
以降、編成コース４２〜４８では、４口編み用の編針のうちの次の１口編み用の編針による編みを、編成コース４１と同じ編成で順に行う。つまり、編針ａ〜ｅ・ｇ・ｉ・ｋ〜ｎによりニットが形成されかつ編針ｆ・ｈ・ｊにタックが形成される編成を編成コース毎に繰り返し行う。
【００４８】
編成コース４９では、４口編み用の編針のうちの最初の１口編み用の編針による編みを行う。具体的には、編針ａ〜ｎのうちの編針ａ〜ｄ・ｆ・ｈ・ｊ〜ｎによりニットが形成され、タックが位相をずらせた編針ｅ・ｇ・ｉに形成される編成を行う。以降、編成コース５０〜５６では、編成コース４９と同じ編成、つまり編針ａ〜ｄ・ｆ・ｈ・ｊ〜ｎによりニットが形成され、編針ｅ・ｇ・ｉにタックが形成される編成を繰り返し行う。
【００４９】
編成コース５７〜６４では、４口編み用の編針のうちの次の１口編み用の編針による編みを、編成コース４１と同じ編成で順に行う。つまり、編針ａ〜ｅ・ｇ・ｉ・ｋ〜ｎによりニットが形成され、タックが編成コース４１〜４８と一致するように位相を戻した編針ｆ・ｈ・ｊに形成される編成を編成コース毎に繰り返し行う。
【００５０】
編成コース６５〜７２では、編針ａ〜ｄ・ｆ・ｈ・ｊ〜ｎによりニットが形成され、タックが編成コース４９〜５６と一致するように位相をずらせた編針ｅ・ｇ・ｉに形成される編成を編成コース毎に繰り返し行う。
【００５１】
編成コース７３〜８０では、編針ａ〜ｅ・ｇ・ｉ・ｋ〜ｎによりニットが形成され、タックが編成コース４１〜４８と一致するように位相を戻した編針ｆ・ｈ・ｊに形成される編成を編成コース毎に繰り返し行う。
【００５２】
編成コース８０以降の編成コースにおいても、８つの編成コースごとに交互に位相をずらせた編針ｆ・ｈ・ｊ又は編針ｅ・ｇ・ｉにタックが形成される編成を編終わり側の開口部１３の近傍まで編成コース毎に繰り返し行う。このとき、衛生マスク本体１０の表裏両面１１，１２の上側の折り返し線１６が形成される。
【００５３】
その後、上述した編成コース１から編成コース４０までの編成を編成コース４０から編成コース１まで逆に行って、編終わり側となる他方の開口部１３が構成されるとともに、他方の耳掛け部１４が構成される。このとき、４口編み用の編針のうち、２口編み用の編針で編み、残る２口編み用の編針を休止させている。
【００５４】
このとき、各編成コース４１〜８０の編針ｎ以降の編針においても、ニットが形成される編成をマスク本体１０の下側の折り返し線１６付近まで繰り返し、それ以降は、編成コース４１〜８０及びそれ以降の編成コースによって３条のひだ１５，１５，１５による下側の折り返し線１６を編成し終えるまで繰り返し、それ以降は、編針にニットを形成する
【００５５】
したがって、本実施の形態では、伸縮性を有する編糸により編成された筒状編地に表裏両面を折り返した状態で使用される衛生マスク本体１０を設け、その表裏両面１１，１２のうち裏面１２側の左右両端部に、それぞれの端縁に沿って上下方向に切り欠いた状態に開口する左右の開口部１３，１３を設け、この左右の開口部１３,１３よりもそれぞれ外側に位置する左右の開口周縁部が、衛生マスク本体１０に一体的に設けられた左右の耳掛け部１４，１４として構成されている。これにより、衛生マスク本体１０と左右の耳掛け部１４，１４とがそれぞれ一体的に構成され、衛生マスク本体１０に左右の耳掛け部１４，１４の両端を縫い付ける作業が不要となって、煩わしい作業工程を廃止して衛生マスク１の生産性を図ることができる。
【００５６】
また、衛生マスク本体１０が、当該衛生マスク本体１０の左右両端部に開口部１３，１３をそれぞれ編成時に形成する筒状編地により構成されている。その上、前述したように衛生マスク本体１０の左右一方の開口部１３が編成されると、編成コース２１で編針ｙ〜ｍ′からノックオーバーされて払い落とされた編目は、編地本来が持つ巻き癖に加えて編成コース２０までの編成により、更に巻き込まれるので、開口部１３を操作する手や物品が当該ループ直接触れることが無いので、解れだすのが防止されることになる。しかも、開口部１３の端部の連結部、特に編針ｘでは編成コース１８・１９・２２・２３でタックされて補強部４が形成され、この補強部４のタック部分が他のループのように伸びることが無く、開口部１３を開こうとする力を確実に抑えて、当該部分から裂けたりすることをなくして耐久性を向上させている。これにより、簡単な構造で、左右の開口部１３，１３の上下両端部の強度を十分に確保しつつ、編針から払い落とした開口部１３，１３周縁の解れを防止でき、信頼性の高い衛生マスク１を迅速に提供することができる。
【００５７】
更に、衛生マスク本体１０の表裏両面１１，１２の折り返し部分の上下の折り返し線１６，１６が、左右の開口周縁部の近傍同士の間を左右方向へ延びるひだ１５，１５，１５によって形成されているので、衛生マスク本体１０の表裏両面１１，１２の形状を安定させて品質の高い衛生マスク１を提供することができる。
【００５８】
なお、本発明は、前記実施の形態に限定されるものではなく、その他種々の変形例を包含している。例えば、前記実施の形態では、筒状編地の編成時に衛生マスク本体１０に左右の耳掛け部１４,１４を一体的に編成するようにしたが、筒状編地により構成される衛生マスク本体の裏面側にその左右両端部においてそれぞれの端縁に沿って上下方向に切り欠いて開口する左右の開口部を設け、その左右の開口部よりもそれぞれ外側に位置する左右の開口周縁部が衛生マスク本体に一体的に設けられた左右の耳掛け部として構成されるようにしてもよい。
【００５９】
また、前記実施の形態では、衛生マスク本体１０の表裏両面１１，１２の間に除菌シート２を挟んだが、花粉を捕獲する花粉シート又はＰＭ２．５などを捕獲する専用シートや保湿シートなどを衛生マスク本体の表裏両面の間に挟んで使用してもよいのはもちろんである。
【００６０】
更に、前記実施の形態では、衛生マスク本体１０の左右両端部に開口部１３，１３をそれぞれ編成する際に４口編み用の丸編み機を用い、２口編み用の編針により編成を行うことで残る２口編み用の編針を休止させるようにしたが、３口編み用の編針により編成を行うことで残る１口編み用の編針を休止させるようにしてもよい。また、本実施の形態では、衛生マスク本体１０の左右両端部間（編成コース４１以降から他方の開口部付近までの間）では、休止中の２口用の編針を休止させることなく４口編み用の全ての編針を用いた編成を行ったが、衛生マスク本体の左右両端部と同様に２口編み用の編針のみにより編成を行って残る２口編み用の編針を休止させていてもよい。
【００６１】
また、本実施の形態では、衛生マスク１の上端付近を編成する際の編成コース４１を衛生マスク１の編み始めの上端角部付近での編成コース４０に連続させるように繋げたが、衛生マスクの上端付近を編成する際の編成コースに対し、衛生マスクの編み始めの上端角部付近での編成コースの終端から数ｍｍ（例えば５〜１５ｍｍ程度）離間させた状態で衛生マスクの上端付近を編成する編成コースを繋げるようにしてもよい。
【符号の説明】
【００６２】
１        衛生マスク
１０      衛生マスク本体
１１      表面
１２      裏面
１３      開口部
１４      耳掛け部
１５      ひだ
１６      折り返し線
４        補強部
【図１】
2020125578.tif 000003
【図２】
2020125578.tif 000004
【図３】
2020125578.tif 000005
【図４】
2020125578.tif 000006
【図５】
2020125578.tif 000007
【図６】
2020125578.tif 000008
【図７】
2020125578.tif 000009
【図８】
2020125578.tif 000010
【図９】
2020125578.tif 000011